(57)【要約】【課題】配線の保護とともに美観性が向上する配線の保護構造を提供する。【解決手段】家屋１の外壁面５に配置された電力計ボックス６を経由して屋外から屋内に引き込まれる配線４の保護構造であって、家屋１の外壁面５に沿って配置され、配線４が引き込まれる引込側端部７ａと、配線４が電力計ボックス６に向けて引き出される引出側端部７ｂとを有する中空状の配線収容路７に配線４が収容されている。【選択図】  図１
2004343943.tif 000002
【特許請求の範囲】
【請求項１】
家屋の外壁面に配置された電力計ボックスを経由して屋外から屋内に引き込まれる配線の保護構造であって、
上記家屋の外壁面に沿って配置される単数若しくは複数の部材からなり、配線が引き込まれる引込側端部と、配線が電力計ボックスに向けて引き出される引出側端部とを有する中空状の配線収容路に配線が収容されてなることを特徴とする配線の保護構造。
【請求項２】
上記配線収容路の引込側端部には、配線の挿通用開口を残して引込側端部の開口を塞ぐ端末部材が配置されている請求項１記載の配線の保護構造。
【請求項３】
上記配線収容路の引込側端部は、開口が側方または下方を向くように設けられている請求項１または２記載の配線の保護構造。
【請求項４】
上記外壁面に沿って配置される配線収容路の底壁部は、平板状に形成されている請求項１〜３のいずれか１項に記載の配線の保護構造。
【請求項５】
上記底壁部に、サドルの回り止め凸部が設けられている請求項４記載の配線の保護構造。
【請求項６】
上記配線収容路は、外壁面に取付けられるベースと、このベースに取付け可能なカバーとからなり、上記ベースが水平方向に配置される場合に、下方に位置する縁部に、上記カバーの上方に位置する縁部が吊り下げ状で仮係止されるように形成されている請求項１〜５のいずれか１項に記載の配線の保護構造。
【請求項７】
上記配線収容路の引出側端部には、引出側端部から引き出されて電力計ボックスの周壁の引き込み穴に引き込まれる配線を覆うボックス接続部材が配設されている請求項１〜６のいずれか１項に記載の配線の保護構造。
【請求項８】
上記ボックス接続部材は、配線収容路側の一端部に対して電力計ボクス側の他端部が大きくなるように形成されている請求項７記載の配線の保護構造。
【請求項９】
上記ボックス接続部材および電力計ボックスは、いずれもベースとカバーとから構成されていて、上記ボックス接続部材のベースとカバーとの分割線が、少なくとも電力計ボックスの近傍においては、電力計ボックスのベースとカバーとの分割線よりも上記外壁面側に位置するように形成されている請求項７または８記載の配線の保護構造。
【請求項１０】
上記ボックス接続部材の分割線は、電力計ボックス側の端部が電力計ボックスの分割線よりも上記外壁面側に位置し、配線収容路側の端部が配線収容路の分割線と連なるように形成されている請求項９記載の配線の保護構造。
【請求項１１】
上記ボックス接続部材は、電力計ボックスの近傍に位置するベースの側壁部に凹部が形成され、電力計ボックスの近傍に位置するカバーの側壁部に凸部が形成されて、ボックス接続部材の分割線は、電力計ボックスの近傍においては電力計ボックスの分割線よりも上記外壁面側に位置し、電力計ボックスの近傍以外においては配線収容路の分割線と略一直線状をなすように形成されている請求項１０記載の配線の保護構造。
【請求項１２】
上記配線収容路の途中に分岐部が設けられ、この分岐部の先端部が上記外壁面に向けられて、この外壁面の貫通穴に配線が通されるとともに、上記貫通穴の近傍の外壁面に、この外壁面から略直角に外方に突出する直角壁が有る場合において、上記直角壁に当接する底壁部とともに上記分岐部の先端部に外嵌する周壁部を有する短筒部と、この短筒部の周壁部から外方に張り出して上記外壁面に当接するフランジ部とを有する壁面接続部材が配置されている請求項１〜１１のいずれか１項に記載の配線の保護構造。
【請求項１３】
上記壁面接続部材の短筒部とフランジ部とは、上記直角壁と略平行な分割線で分割されている請求項１２記載の配線の保護構造。
【請求項１４】
上記壁面接続部材のフランジ部の背面に、上記短筒部と交差しないように延在する複数個の凹状切取り溝が形成されている請求項１２または１３記載の配線の保護構造。
【請求項１５】
上記壁面接続部材のフランジ部のねじ用穴に、上記外壁面にねじ止めするねじによって突き破り可能な薄膜部が形成されている請求項１２〜１４のいずれか１項に記載の配線の保護構造。
【発明の詳細な説明】
【０００１】
【発明の属する技術分野】
本発明は、屋外の配線に最適な保護構造に関する。
【０００２】
【従来の技術】
従来、屋内の室内機と屋外の室外機とを接続する空調配管が家屋の外壁面に配置されている場合、この空調配管をダクトで覆うものがある（例えば、特許文献１参照）。
【０００３】
【特許文献１】
実公昭５８−４９０１３号公報
【０００４】
【発明が解決しようとする課題】
ところで、家屋の外壁面に配置された電力計ボックスを経由して屋外から屋内に引き込まれる配線（電線）は、道路側から比較的見えやすい家屋の外壁面に沿って配置されることから、上記のような空調配管のダクトよりも美観性が要望される。
【０００５】
本発明は、上記要望に応えるためになされたもので、配線の保護とともに美観性が向上する配線の保護構造を提供することを課題とするものである。
【０００６】
【課題を解決するための手段】
上記課題を解決するために、本発明は、家屋の外壁面に配置された電力計ボックスを経由して屋外から屋内に引き込まれる配線の保護構造であって、
上記家屋の外壁面に沿って配置される単数若しくは複数の部材からなり、配線が引き込まれる引込側端部と、配線が電力計ボックスに向けて引き出される引出側端部とを有する中空状の配線収容路に配線が収容されてなることを特徴とする配線の保護構造を提供するものである。
【０００７】
請求項２のように、上記配線収容路の引込側端部には、配線の挿通用開口を残して引込側端部の開口を塞ぐ端末部材が配置されている構成とすることが好ましい。
【０００８】
請求項３のように、上記配線収容路の引込側端部は、開口が側方または下方を向くように設けられている構成とすることが好ましい。
【０００９】
請求項４のように、上記外壁面に沿って配置される配線収容路の底壁部は、平板状に形成されている構成とすることが好ましい。
【００１０】
請求項５のように、上記底壁部に、サドルの回り止め凸部が設けられている構成とすることが好ましい。
【００１１】
請求項６のように、上記配線収容路は、外壁面に取付けられるベースと、このベースに取付け可能なカバーとからなり、上記ベースが水平方向に配置される場合に、下方に位置する縁部に、上記カバーの上方に位置する縁部が吊り下げ状で仮係止されるように形成されている構成とすることが好ましい。
【００１２】
請求項７のように、上記配線収容路の引出側端部には、引出側端部から引き出されて電力計ボックスの周壁の引き込み穴に引き込まれる配線を覆うボックス接続部材が配設されている構成とすることが好ましい。
【００１３】
請求項８のように、上記ボックス接続部材は、配線収容路側の一端部に対して電力計ボクス側の他端部が大きくなるように形成されている構成とすることが好ましい。
【００１４】
請求項９のように、上記ボックス接続部材および電力計ボックスは、いずれもベースとカバーとから構成されていて、上記ボックス接続部材のベースとカバーとの分割線が、少なくとも電力計ボックスの近傍においては、電力計ボックスのベースとカバーとの分割線よりも上記外壁面側に位置するように形成されている構成とすることが好ましい。
【００１５】
請求項１０のように、上記ボックス接続部材の分割線は、電力計ボックス側の端部が電力計ボックスの分割線よりも上記外壁面側に位置し、配線収容路側の端部が配線収容路の分割線と連なるように形成されている構成とすることが好ましい。
【００１６】
請求項１１のように、上記ボックス接続部材は、電力計ボックスの近傍に位置するベースの側壁部に凹部が形成され、電力計ボックスの近傍に位置するカバーの側壁部に凸部が形成されて、ボックス接続部材の分割線は、電力計ボックスの近傍においては電力計ボックスの分割線よりも上記外壁面側に位置し、電力計ボックスの近傍以外においては配線収容路の分割線と略一直線上をなすように形成されている構成とすることが好ましい。
【００１７】
請求項１２のように、上記配線収容路の途中に分岐部が設けられ、この分岐部の先端部が上記外壁面に向けられて、この外壁面の貫通穴に配線が通されるとともに、上記貫通穴の近傍の外壁面に、この外壁面から略直角に外方に突出する直角壁が有る場合において、上記直角壁に当接する底壁部とともに上記分岐部の先端部に外嵌する周壁部を有する短筒部と、この短筒部の周壁部から外方に張り出して上記外壁面に当接するフランジ部とを有する壁面接続部材が配置されている構成とすることが好ましい。
【００１８】
請求項１３のように、上記壁面接続部材の短筒部の周壁部とフランジ部とは、上記直角壁と略平行な分割線で分割されている構成とすることが好ましい。
【００１９】
請求項１４のように、上記壁面接続部材のフランジ部の背面に、上記短筒部と交差しないように延在する複数個の凹状切取り溝が形成されている構成とすることが好ましい。
【００２０】
請求項１５のように、上記壁面接続部材のフランジ部のねじ用穴に、上記外壁面にねじ止めするねじによって突き破り可能な薄膜部が形成されている構成とすることが好ましい。
【００２１】
【発明の作用および効果】
本発明によれば、家屋の外壁面に沿って配置した配線収容路により、配線が保護されるとともに、美観性が向上する。
【００２２】
請求項２によれば、端末部材により、配線収容路の引込側端部の開口が塞がれるから、異物の侵入が防止されるとともに、美観性が向上する。
【００２３】
請求項３によれば、開口が側方または下方を向くことにより、雨水の浸入が防止される。なお、開口を側方または下方を向けるのは、引込側端部が雨線外にある場合に、特に有効である。
【００２４】
請求項４によれば、配線収容路の底壁部が平板状であるから、底壁部に凸部が形成された従来品では、この凸部に嵌まり合う凹部を有する特殊なサドルを必要としていたが、このような凹部の無い汎用のサドルでも配線を略直線状に締結支持できるとともに、底壁部に凸部が無いので、配線収容路を外壁面にねじで取付ける時に撓まなくなる。
【００２５】
請求項５によれば、回り止め凸部によってねじ止め時にサドルが回らなくなるので、サドルの取付け作業性が向上する。
【００２６】
請求項６によれば、ベースにカバーを吊り下げ状で仮係止しておくことができるので、配線収容路の施工性が向上する。
【００２７】
請求項７によれば、ボックス接続部材により、配線収容路の引出側端部と電力計ボックスとの間の配線が保護されるとともに、美観性が向上する。
【００２８】
請求項８によれば、電力計ボックスの周壁に複数の引き込み穴が形成されている場合に、配線を無理なく引き込み穴に引き込むことができる。
【００２９】
請求項９によれば、電力計ボックスのカバーを取外して内部を点検する時に、ボックス接続部材のカバーを取外すだけで、電力計ボックスのカバーを上方にスライドさせて前方に取外せるとともに、前方から被せて下方にスライドさせて取付けることができるので、電力計ボックスのカバーの着脱が容易になる。
【００３０】
請求項１０によれば、ボックス接続部材の分割線が配線収容路の分割線と連なるようになるので、美観性が向上する。
【００３１】
請求項１１によれば、ボックス接続部材の分割線が配線収容路の分割線と略一直線状に連なるようになるので、美観性が向上する。
【００３２】
請求項１２によれば、配線収容路の急な曲がりにも良好に対応することができる。
【００３３】
請求項１３によれば、直角壁側の分割体を、配線収容路を形成するときの位置決め部材として利用できる。
【００３４】
請求項１４によれば、凹状切取り溝により、フランジ部の一部を現場の状況に応じて切取ることができ、その切取りの作業性が向上する。
【００３５】
請求項１５によれば、不要なねじ用穴は薄膜部でカバーされるので、美観性が向上するとともに、ねじ用穴から壁面接続部材内への雨水の浸入が防止される。
【００３６】
【発明の実施の形態】
以下、本発明の実施の形態を図面を参照して詳細に説明する。
【００３７】
図１〜図３に示すような戸建て住宅のような家屋１の場合には、道路側の電柱３からの配線（電線）４が家屋１の外壁面５に配置された電力計ボックス６を経由して、Ａで示す部分において屋外から屋内に引き込まれるようになっている。
また、図４に示すような集合住宅（アパートなど）のような家屋１の場合でも、同様に、電力計ボックス６を経由して、Ａで示す部分においてそれぞれ屋外から各室内（屋内）に引き込まれるようになっている。なお、電力計ボックス６から屋内に配線４を直接引き込んでも良い。
【００３８】
上記家屋１の外壁面５には、この外壁面５に沿って所定長さで上下方向に延在する中空状の配線収容路７が取付けられて、この配線収容路７内に配線４が収容されるようになっている。
【００３９】
図５〜図７に示すように、上記配線収容路７の上端部（一端部）は、配線４が引き込まれる引込側端部７ａとなり、下端部（他端部）は、配線４が電力計ボックス６に向けて引き出される引出側端部７ｂとなっている。
【００４０】
上記配線収容路７は、上記外壁面５に取付けられるベース９と、このベース９に取付け可能なカバー１０とから構成されている。
【００４１】
上記ベース９は、略Ｕ字状の断面形状であって、上記外壁面５に取付けられる底壁部９ａは平板状（フラット）に形成されていて、この底壁部９ａの幅方向の中央部には、上記外壁面５にねじ１１〔図７（ｃ）参照〕で固定するためのねじ用穴９ｂが長さ方向に所定の間隔で形成されるとともに、底壁部９ａの内面の両側部には、長さ方向に延在するサドル１９〔図７（ｃ）参照〕の回り止め凸条部９ｃが一体形成されている。上記ねじ用穴９ｂは、例えば１つ置きに、幅方向と長さ方向に長い楕円状に形成されている。
【００４２】
上記サドル１９は、図９（ａ）に示すように、配線収容路７内に収容された配線４を結束する結束バンド２０を通して保持するものである。
【００４３】
上記ベース９の両側壁部９ｄの上部には、長さ方向に延在する内向き凹条部９ｅと外向き凹条部９ｆとが上下位置にそれぞれ形成されている。
【００４４】
上記カバー１０は、略逆Ｕ字状の断面形状であって、両側壁部１０ａの下端部には、長さ方向に延在する内向き屈曲部１０ｂがそれぞれ形成されている。
【００４５】
そして、ベース９の両側壁部９ｄを内向きに撓ませながら、若しくはカバー１０の両側壁部１０ａを外向きに撓ませながら、ベース９の外向き凹条部９ｆにカバー１０の内向き屈曲部１０ｂを嵌め込むことにより、ベース９にカバー１０が係止固定されるようになる〔図５（ｅ）の状態〕。
【００４６】
上記カバー１０の両側壁部１０ｂの内面には、長さ方向に延在する凸条部１０ｃが一体形成され、この凸条部１０ｃは、ベース９にカバー１０が係止固定されたときに、ベース９の両側壁部９ｄの上端部に当て止められるようになる。
【００４７】
図６（ｃ）と、図６（ｃ）のＢ部分の拡大図である図６（ｄ）に詳細に示すように、上記ベース９が水平方向（横向き）に配置される場合に、カバー１０を係止固定する前には、ベース９の下方に位置する内向き凹条部（縁部）９ｅに、カバー１０の上方に位置する内向き屈曲部（縁部）１０ｂを引っ掛けて、カバー１０を吊り下げ状で仮係止できるようになっている。
【００４８】
上記配線収容路７のベース９は、図７に示すように、引込側端部７ａ側が家屋１の屋根１ａの庇の下方に位置し、引出側端部７ｂ側が電力計ボックス６の上方に位置するように上下方向に延在させた状態で、底壁部９ａを外壁面５に密着させながら、ねじ用穴９ｂを利用してねじ１１でサドル１２を共締めしながら外壁面５に固定する。なお、外壁面５がコンクリート等であるときは、ねじ止め用のプラグ１２を利用すれば良い。
【００４９】
上記配線収容路７の引込側端部７ａが位置する外壁面５には、図７および図８に示すように、端末部材２２の端末ベース１３が予めねじ１４で固定されている。
【００５０】
この端末ベース１３は、上記ベース９の底壁部９ａと両側壁部９ｄとの外面に嵌まり合う略Ｕ字状の断面形状に形成されて、底壁部１３ａがねじ１４で外壁面５に固定されるとともに、両側壁部１３ｂの上縁部には、雌ねじ用穴１３ｃがそれぞれ形成されている。
【００５１】
上記端末ベース１３は、配線収容路７の引込側端部７ａが上向き（図１参照）または下向き（図３参照）となる場合には、図７（ａ）のように、両側壁部１３ｂが左右位置となるように外壁面５に固定し、配線収容路７の引込側端部７ａが横向き（図２、図４参照）となる場合には、図７（ｂ）のように、両側壁部１３ｂが上下位置となるように外壁面５に固定する。
【００５２】
上記ベース９は、引込側端部７ａ側の先端部分を端末ベース１３に差し込んだ状態で外壁面５にねじ１１で固定する。
【００５３】
上記端末ベース１３と対となる端末カバー１５は、上記カバー１０の上壁部１０ｄと両側壁部１０ａとの外面に嵌まり合う略Ｕ字状の断面形状に形成されて、カバー１０の引込側端部７ａ側の先端部分に被せた状態で、上壁部１５ａのねじ用穴１５ｂを利用して、端末ベース１３の雌ねじ用穴１３ｃにねじ１６で固定する。
【００５４】
上記端末ベース１３と端末カバー１５とは端末部材２２を構成し、配線収容路７の引込側端部７ａに配線４の挿通開口を残して引込側端部７ａの開口７ｃを塞ぐようになる。なお、端末部材２２の開口にはパテ１８を詰め込んで防水しても良い。
【００５５】
図１および図７、図８では、配線収容路７の引込側端部７ａが上方を向くように設けられている。この上方向きでは、図９（ｂ）に示すように、引込側端部７ａが雨線内２１ａにあると雨水の浸入を防止できる。ここで、雨線２１とは、家屋１の屋根１ａの庇の下面に水平な線に対して４５度で上向きに傾斜した線をいい、雨線内２１ａであれば、庇で遮られて雨水が浸入しにくくなるとともに、雨線外２１ｂであれば、庇で遮られないので雨水が浸入しやすくなる。
【００５６】
図２では、配線収容路７の引込側端部７ａが側方を向くように設けられ、図３では、配線収容路７の引込側端部７ａが下方を向くように設けられている。この側方向きまたは下方向きでは、引込側端部７ａが雨線内２１ａにあると雨水の浸入を防止できるとともに、引込側端部７ａが雨線外２１ｂにあっても雨水の浸入できる。
【００５７】
一方、図１０〜図１２に示すように、電力計ボックス６の上方に位置する配線収容路７の引出側端部７ｂが位置する外壁面５には、ボックス接続部材２８の接続ベース２３が予めねじ２４で固定されている。
【００５８】
上記ボックス接続部材２２の配線収容路７側の一端部２８ａは、配線収容路７の形状とほぼ同じであるが、電力計ボックス６側の他端部２８ｂは、末広がり状の広幅に形成されている。
【００５９】
上記接続ベース２３は、上記ベース９の底壁部９ａと両側壁部９ｄとの外面に嵌まり合う略Ｕ字状の断面形状に形成されて、底壁部２３ａがねじ２４で外壁面５に固定されるとともに、両側壁部２３ｂの上縁部には、雌ねじ用穴２３ｃがそれぞれ形成されている。
【００６０】
上記ベース９は、配線収容路７の引出側端部７ｂ側の後端部分を接続ベース２３に差し込んだ状態で外壁面５にねじ１１で固定する。
【００６１】
上記接続ベース２３と対となる接続カバー２５は、上記カバー１０の上壁部１０ｄと両側壁部１０ａとの外面に嵌まり合う略Ｕ字状の断面形状に形成されて、カバー１０の引出側端部７ｂ側の後端部分に被せた状態で、上壁部２５ａのねじ用穴２５ｂ利用して、接続ベース２３の雌ねじ用穴２３ｃにねじ２６で固定する。
【００６２】
上記接続ベース２３と接続カバー２５とはボックス接続部材２８を構成して、配線収容路７の引出側端部７ｂから引き出されて、電力計ボックス６の上周壁６ａの引き込み穴６ｂから電力計ボックス６内に引き込まれる配線４を覆うようになる。なお、電力計ボックス６の引き込み穴６ｂは、全周壁に設けられていて、不使用の引き込み穴６ｂは薄膜でカバーされて、使用する引き込み穴６ｂのみを工具で突き破るようになっている（いわゆるノックアウト）。
【００６３】
上記電力計ボックス６は、ベース３０とカバー３１とから構成されていて、図１２（ａ）の取付け状態のカバー３１を点検などで取外す場合には、図１２（ｂ）に示すように、カバー３１の下部を前方に引き（矢印ａ参照）、ついで、カバー３１を上方にスライドさせ（矢印ｂ参照）、その後、前方に引くことにより（矢印ｃ参照）、取外すことができる構造になっている。
【００６４】
そこで、上記ボックス接続部材２８の接続ベース２３と接続カバー２５との分割線Ｌ２が、電力計ボックス６のベース３０とカバー３１との分割線Ｌ１よりも外方に位置すると、カバー３１を上方にスライドさせる時には、接続ベース２３と接続カバー２５とが邪魔になるので、接続ベース２３と接続カバー２５との双方を取外す必要がある。
【００６５】
このため、接続ベース２３の電力計ボックス６の近傍の両側壁部２３ｂに凹部２３ｄを形成するとともに、接続カバー２５の両側壁部２５ｃの対応する部位に、凹部２３ｄに嵌り合う凸部２５ｄを形成する。
【００６６】
これにより、電力計ボックス６の近傍においては、電力計ボックス６のベース３０とカバー３１との分割線Ｌ１よりも、接続ベース２３の凹部２３ｄと接続カバー２５の凸部２５ｄとの分割線Ｌ３が外壁面５側に位置するようになるから、接続カバー２５を取外すだけで、カバー３１を上方にスライドさせることができる。
【００６７】
図１２（ａ）では、ボックス接続部材２８の分割線Ｌ２，Ｌ３において、電力計ボックス６側の端部の分割線Ｌ３は、電力計ボックス６の分割線Ｌ１よりも外壁面５側に位置するが、配線収容路７側の端部の分割線Ｌ２は、配線収容路７の分割線Ｌ５と一直線で連なるようになる。
【００６８】
上記ボックス接続部材２８の接続ベース２３と接続カバー２５との分割線Ｌ４を二点鎖線で示すように斜めにしても差し支えはなく、この場合でも、少なくとも電力計ボックス６の近傍においては、電力計ボックス６のベース３０とカバー３１との分割線Ｌ１よりも、接続ベース２３と接続カバー２５の分割線Ｌ４が外壁面５側に位置するようになる。
【００６９】
また、図１２（ｃ）に示すように、図１２（ａ）の分割線Ｌ３と同じ高さとなるように、ボックス接続部材２８の接続ベース２３と接続カバー２５との両側壁部２３ｂ，２５ｃの高さを設定することもできる。
【００７０】
一方、図１〜図４に示したように、配線収容路７の途中に分岐配線収容路７´を設けて、この分岐配線収容路７´の先端部を上記外壁面５に向けて、この外壁面５の貫通穴５ａ〔図１５（ａ）参照〕に配線４を通すことにより、Ａで示す部分において屋外から屋内に引き込むようになっている。
【００７１】
図１３に示すように、上記貫通穴５ａの近傍の外壁面５に、この外壁面５から略直角に外方に突出する直角壁５ｂが有る場合において、この直角壁５ｂの段差Ｔ１，Ｔ２に大小がある（Ｔ１＜Ｔ２）。
【００７２】
そして、直角壁５ｂの段差Ｔ２が大きい場合には、図１３（ｂ）および図１５（ｄ）に示すように、直角壁５ｂに第１壁面接続部材３６のコーナーベース３７を予めねじ３８で固定する。
【００７３】
このコーナーベース３７は、上記配線収容路７´の先端部に固定したエルボ部材３９の下半分の外面に嵌まり合う略Ｕ字状の断面形状に形成されて、底壁部３７ａがねじ３８で直角壁５ｂに固定されるとともに、両側壁部３７ｂの上部にはフック穴（不図示）がそれぞれ形成されている。
【００７４】
上記エルボ部材３９の先端部分はコーナーベース３７に差し込んだ状態となる。なお、図１５（ｄ）は、エルボ部材３９を使用しない例であって、この場合には、配線収容路７´の先端部をコーナーベース３７に直接差し込んだ状態となる。
【００７５】
上記コーナーベース３７と対となるコーナーカバー４０は、上記エルボ部材３９の上半分の外面に嵌まり合う略Ｕ字状の断面形状に形成されて、エルボ部材３９の先端部に被せた状態で、上記コーナーベース３７のフック穴にコーナーカバー４０のフック部（不図示）を係止して固定する。このコーナーカバー４０の外壁面５側は、末広がり状の広幅に形成されている。
【００７６】
上記コーナーベース３７とコーナーカバー４０とは第１壁面接続部材３６を構成して、エルボ部材３９から引き出されて、外壁面５の貫通穴５ａから屋内に引き込まれる配線４を覆うようになる。
【００７７】
また、直角壁５ｂの段差Ｔ１が小さい場合には、図１３（ａ）、図１４および図１５（ａ）〜（ｃ）に示すように、直角壁５ｂに第２壁面接続部材４２の化粧プレート４３を予めねじ３８で固定する。なお、第２壁面接続部材４２の化粧プレート４３およびプレートカバー４４は、直角壁５ｂの段差Ｔ１が小さいので、第１壁面接続部材３６のコーナーベース３７およびコーナーカバー４０よりも薄型になっている。
【００７８】
この化粧プレート４３は、上記配線収容路７´の先端部に固定したエルボ部材３９の下半分の外面に嵌まり合う略Ｕ字状の断面形状に形成されて、底壁部４３ａがねじ用穴４３ｆを利用してねじ３８で直角壁５ｂに固定されるとともに、両側壁部４３ｂの上部にはフック穴４３ｃ〔図１４（ｆ）参照〕がそれぞれ形成されている。
【００７９】
上記エルボ部材３９の先端部分は化粧プレート４３に差し込んだ状態となる。なお、図１５（ａ）〜（ｃ）は、エルボ部材３９を使用しない例であって、この場合には、配線収容路７´の先端部を化粧プレート４３に直接差し込んだ状態となる。
【００８０】
上記化粧プレート４３と対となるプレートカバー４４は、上記エルボ部材３９の上半分の外面に嵌まり合う略Ｕ字状の断面形状に形成されて、エルボ部材３９の先端部に被せた状態で、図１４（ｆ）に示すように、上記化粧プレート４３のフック穴４３ｃにプレートカバー４４のフック部４４ａを係止して固定する。
【００８１】
この化粧プレート４３とプレートカバー４４は、図１４（ａ）に示したように、底壁部４３ａと上壁部４４ａと側壁部４３ｂ，４４ｂとで段差Ｔ１の方向に短いストレート状短筒部４２ｄを構成して、この短筒部４２ｄの先端側の周壁部には、外方に張り出して上記外壁面５に当接するフランジ部４３ｄ，４４ｄが形成されている。
【００８２】
上記化粧プレート４３とプレートカバー４４とは第２壁面接続部材４２を構成して、エルボ部材３９から引き出されて、外壁面５の貫通穴５ａから屋内に引き込まれる配線４を覆うようになる。
【００８３】
上記第２壁面接続部材４３の短筒部４２ｄとフランジ部４３ｄ，４４ｄとは、上記直角壁５ａと略平行な分割線Ｌ６で分割されている。
【００８４】
上記第２壁面接続部材４３のフランジ部４３ｄ，４４ｄの背面には、図１４（ｅ）および図１５（ｂ）（ｃ）に示すように、短筒部４２ｄと交差しないように延在する複数個の凹状切取り溝４２ａが形成されている。本例では、５個の凹状切取り溝４２ａを形成しているので、５パターンで切取り可能である。
【００８５】
また、上記第２壁面接続部材４３のフランジ部４３ｄ，４４ｄには、外壁面５に強固に固定するためのねじ用穴４２ｂが形成され、このねじ用穴４２ｂの表面側は、図１４（ｇ）の示すように、外壁面５にねじ止めするねじ４５によって突き破り可能な薄膜部４２ｃが形成されている（いわゆるノックアウト）。
【００８６】
上記のように構成した配管４の保護構造の作用効果を次ぎに説明する。
【００８７】
（１）家屋１の外壁面５に沿って配置した配線収容路７の内部に配線４を収容するから、配線収容路７によって配線４が保護されるとともに、配線収容路７によって配線４がカバーされるので、美観性が向上する。
【００８８】
（２）端末部材２２により、配線収容路７の引込側端部７ａの開口７ｃが塞がれるから、配線収容路７内への異物の侵入が防止されるとともに、美観性が向上する。
【００８９】
（３）引込側端部７ａの開口７ｃを側方または下方に向けると、開口７ｃからの雨水の浸入を未然に防止することができる。なお、開口７ｃを側方または下方を向けるのは、引込側端部７ａが雨線外２１ｂにある場合に、特に有効である。
【００９０】
（４）配線収容路７のベース９の底壁部９ａが平板状であるから、底壁部９ａに凸部が形成された従来品では、この凸部に嵌まり合う凹部を有する特殊なサドルを必要としていたが、このような凹部の無い汎用のサドル１９でも配線４を略直線状に締結支持できるとともに、底壁部９ａに凸部が無いので、配線収容路７のベース９を外壁面５にねじ１１で取付ける時に撓まなくなる。
【００９１】
（５）ベース９の底壁部９ａの回り止め凸条部９ｃによってねじ止め時にサドル１９が回らなくなるので、サドル１９の取付け作業性が向上する。この回り止め凸条部９ｃによって底壁部９ａを補強できるようになる。
【００９２】
（６）ベース９が水平方向に配置される場合に、カバー１０を係止固定する前には、ベース９の下方に位置する内向き凹条部（縁部）９ｅに、カバー１０の上方に位置する内向き屈曲部（縁部）１０ｂを引っ掛けて、カバー１０を吊り下げ状で仮係止できるので、カバー１０を手で持っておく必要がなくなって、配線収容路７の施工性が向上する。
【００９３】
（７）ボックス接続部材２８により、配線収容路７の引出側端部７ｂと電力計ボックス６との間の配線４が保護されるとともに、美観性が向上する。
【００９４】
（８）ボックス接続部材２８の電力計ボックス６側の他端部２８ｂを広幅に形成しているから、電力計ボックス６の周壁６ａに複数の引き込み穴６ｂを形成している場合でも、配線４の間隔を広げて無理なく引き込み穴６ｂに引き込むことができる。
【００９５】
（９）ボックス接続部材２８の接続ベース２３と接続カバー２５との分割線Ｌ３が、少なくとも電力計ボックス６の近傍においては、電力計ボックス６のベース３０とカバー３１との分割線Ｌ１よりも外壁面５側に位置するようにしているから、電力計ボックス６のカバー３１を取外して内部を点検する時に、ボックス接続部材２８の接続カバー２５を取外すだけで、電力計ボックス６のカバー３１を上方にスライドさせて前方に取外せるとともに、前方から被せて下方にスライドさせて取付けることができるので、電力計ボックス６のカバー３１の着脱が容易になる。
【００９６】
（１０）ボックス接続部材２８の分割線Ｌ２が配線収容路７の分割線Ｌ５と連なるようにしているので、美観性が向上する。
【００９７】
（１１）ボックス接続部材２８の分割線Ｌ２が配線収容路７の分割線Ｌ５と略一直線状に連なるようにしているので、美観性が向上する。
【００９８】
（１２）第２壁面接続部材４２は、短筒部４２ｄとフランジ部４３ｄ，４４ｄとで構成しているので、直角壁５ｂの段差Ｔ１が小さい場合のように、配線収容路７の急な曲がりにも良好に対応することができる。
【００９９】
（１３）第２壁面接続部材４２の短筒部４２ｄとフランジ部４３ｄ，４４ｄとは、直角壁５ｂと略平行な分割線Ｌ６で分割されているので、直角壁５ｂ側の分割体である化粧プレート４３が配線収容路７´を形成するときの位置決め部材として利用できる。
【０１００】
（１４）第２壁面接続部材４２の凹状切取り溝４２ａにより、フランジ部４３ｄ，４４ｄの一部を障害物４６〔図１５（ｂ）参照〕が有る等の現場の状況に応じて工具で切取ることができ、その切取りの作業性が向上する。
【０１０１】
（１５）第２壁面接続部材４２のフランジ部４３ｄ，４４ｄのねじ用穴４２ｄに、薄膜部４２ｃを形成しているので、不要なねじ用穴４２ｄは薄膜部４２ｃでカバーされて、美観性が向上するとともに、ねじ用穴４２ｄから第２壁面接続部材４２内への雨水の浸入が防止される。
【０１０２】
上記実施形態では、配線収容路７は、ベース９とカバー１０との複数の部材で構成したが、外方から配線４に嵌め込む後付け可能なカバーだけのように、単数の部材で構成することも可能である。
【図面の簡単な説明】
【図１】本発明に係る配線の保護構造を採用した第１例の家屋の斜視図である。
【図２】本発明に係る配線の保護構造を採用した第２例の家屋の斜視図である。
【図３】本発明に係る配線の保護構造を採用した第３例の家屋の斜視図である。
【図４】本発明に係る配線の保護構造を採用した第４例の家屋の斜視図である。
【図５】配線収容路であり、（ａ）は平面図、（ｂ）は正面図、（ｃ）は底面図、（ｄ）は側面図、（ｅ）は（ｄ）の拡大図である。
【図６】配線収容路であり、（ａ）はベースの斜視図、（ｂ）はサドルを取付けたベースの斜視図、（ｃ）はベースにカバーを吊り下げた斜視図、（ｄ）は（ｃ）のＢ部分の拡大図である。
【図７】端末部材の接続ベースであり、（ａ）は上向きおよび下向き位置の斜視図、（ｂ）は側方向き位置の斜視図、（ｃ）はベース取付け前の斜視図、（ｄ）はベース取付け後の斜視図である。
【図８】端末部材であり、（ａ）は接続カバー取付け前の斜視図、（ｂ）は接続カバー取付け後の斜視図である。
【図９】（ａ）はサドルと結束バンドとの斜視図、（ｂ）は雨線の説明図である。
【図１０】電力計ボックスであり、（ａ）は電力計ボックスとボックス接続部材の分解斜視図、（ｂ）は電力計ボックスの斜視図である。
【図１１】ボックス接続部材であり、（ａ）は正面図、（ｂ）は平面図、（ｃ）は側面図、（ｄ）は底面図、（ｅ）は背面図、（ｆ）は断面図である。
【図１２】電力計ボックスとボックス端末部材と配線収容路とであり、（ａ）は分割線を示す側面図、（ｂ）は電力計ボックスのカバーの取外し要領の側面図、（ｃ）はボックス端末部材の変形例の側面図である。
【図１３】（ａ）は第２壁面接続部材の側面図、（ｂ）は第１壁面接続部材の側面図である。
【図１４】第２壁面接続部材であり、（ａ）は正面図、（ｂ）は平面図、（ｃ）は側面図、（ｄ）は底面図、（ｅ）は背面図、（ｆ）は断面図、（ｇ）は薄膜部の拡大断面図である。
【図１５】（ａ）は第２壁面接続部材の分解斜視図、（ｂ）は第２壁面接続部材のフランジ部の一部を切取った正面図、（ｃ）は第２壁面接続部材の斜視図、（ｄ）は第１壁面接続部材の分解斜視図である。
【符号の説明】
１      家屋
４      配線
５      外壁面
５ａ    貫通穴
５ｂ    直角壁
６      電力計ボックス
６ｂ    引き込み穴
７      配線収容路
７´    分岐配線収容路
７ａ    引込側端部
７ｂ    引出側端部
７ｃ    開口
９      ベース
９ａ    底壁部
９ｃ    回り止め凸条部
９ｅ    内向き凹条部
１０    カバー
１０ｂ  内向き屈曲部
１３    端末ベース
１５    端末カバー
１９    サドル
２２    端末部材
２３    接続ベース
２３ｄ  凹部
２５    接続カバー
２５ｄ  凸部
２８    ボックス接続部材
２８ａ  一端部
２８ｂ  他端部
３０    ベース
３１    カバー
４２    第２壁面接続部材
４２ａ  凹条切取り溝
４２ｂ  ねじ用穴
４２ｃ  薄膜部
４２ｄ  短筒部
４３    化粧プレート
４３ａ  底壁部
４３ｄ  フランジ部
４４    プレートカバー
４４ｄ  フランジ部
Ｌ１〜Ｌ６    分割線
Ｔ１，Ｔ２    段差
【図１】
2004343943.tif 000003
【図２】
2004343943.tif 000004
【図３】
2004343943.tif 000005
【図４】
2004343943.tif 000006
【図５】
2004343943.tif 000007
【図６】
2004343943.tif 000008
【図７】
2004343943.tif 000009
【図８】
2004343943.tif 000010
【図９】
2004343943.tif 000011
【図１０】
2004343943.tif 000012
【図１１】
2004343943.tif 000013
【図１２】
2004343943.tif 000014
【図１３】
2004343943.tif 000015
【図１４】
2004343943.tif 000016
【図１５】
2004343943.tif 000017